(57)【要約】【課題】室内外から網状体が押された場合にも網状体の外れを防止でき、しかも清掃等の手入れが行いやすい網戸を提供することにあり、また、ドア本体に形成された小出入口を介してペットが出入りしても、小出入口に付設される扉の損傷等を防止できるドアを提供する。【解決手段】網戸は、網戸枠１と、網戸枠１に装着される網状体２とを備える。断面Ｌ字状体の保持部材１５の取付片部１７を、網戸枠１の内側端面１６に取付ける。断面Ｌ字状体の保持部材１５は、取付片部１７から網状体２に沿うように突出する受片部１８を備える。保持部材１５の受片部１８に、網状体２に対して外力が作用した際にその外力による網状体２の外れを規制する外れ防止板１０を取付ける。【選択図】図１
2007032095.tif 000002
【特許請求の範囲】
【請求項１】
網戸枠（１）と、この網戸枠（１）に装着される網状体（２）とを備えた網戸において、上記網戸枠（１）の内側端面（１６）に取付けられる取付片部（１７）と、この取付片部（１７）から上記網状体（２）に沿うように突出する受片部（１８）とからなる断面Ｌ字状体の保持部材（１５）を備え、上記網状体（２）に対して外力が作用した際にその外力による網状体（２）の外れを規制する外れ防止板（１０）を、網状体（２）を覆うように上記保持部材（１５）の受片部（１８）に取付けたことを特徴する網戸。
【請求項２】
上記網戸枠（１）は、矩形状の外枠体（６）と、この外枠（６）の一対の縦枠（３）（３）を連結する中桟（７）とを備え、この中桟（７）よりも下方に上記外れ防止板（１０）を配置したことを特徴とする請求項１の網戸。
【請求項３】
上記外れ防止板（１０）を透明板にて構成し、この透明板にて上記網状体（２）を覆うことを特徴とする請求項１又は請求項２の網戸。
【請求項４】
上記外れ防止板（１０）を多数の孔部（１９）を有する平板体にて構成し、この平板体にて上記網状体（２）を覆うことを特徴とする請求項１又は請求項２の網戸。
【請求項５】
網戸枠（１）と、この網戸枠（１）に装着される網状体（２）とを備えた網戸において、上記網状体（２）に対して外力が作用した際にその外力による網状体（２）の外れを規制する外れ防止用格子体（２２）を、上記網戸枠（１）に嵌め込んで、この格子体（２２）の外枠（２３）を網戸枠（１）に着脱可能に取付けたことを特徴とする網戸。
【請求項６】
上記網戸枠（１）は、矩形状の外枠体（６）と、この外枠（６）の一対の縦枠（３）（３）を連結する中桟（７）とを備え、この中桟（７）よりも下方に上記外れ防止用格子体（２２）を配置したことを特徴とする請求項５の網戸。
【請求項７】
ドア本体（３１）に小出入口（３２）が形成されたドアであって、上記小出入口（３２）に揺動可能として枢着される扉（３３）に、上記請求項１〜請求項６のいずれかの網戸構造を用いることを特徴とするドア。
【発明の詳細な説明】
【技術分野】
【０００１】
この発明は、網戸及びドアに関するものである。
【背景技術】
【０００２】
一般に、網戸は、網戸枠と、この網戸枠に張り合わされる網状体（金網）とを備える。ところが、幼児やペット（例えば、猫）等がいる住宅では、幼児等が室内又は室外から網状体を押す場合がある。このため、網状体が網戸枠から外れたり、破れたりする場合があった。
【０００３】
ところで、従来から、網戸としてその網戸枠に格子体を備えたものがある（例えば、特許文献１、特許文献２、及び特許文献３参照）。また、網状体の損傷を防止するための保護板を備えたものがある（例えば、特許文献４参照）。
【特許文献１】特開平６−１１７１７１号公報
【特許文献２】登録実用新案第３０２３７９０号公報
【特許文献３】特開２０００−２７５６７号公報
【特許文献４】特開平１１−９３５４８号公報
【発明の開示】
【発明が解決しようとする課題】
【０００４】
しかしながら、上記特許文献１〜特許文献３に記載のものは、格子体が網戸枠の外枠に一体化されて取外せるものではない。このため、掃除作業が行い難く、また、この網戸を装着した窓の視野を狭くすると共に、室内を暗くしていた。さらに、上記特許文献４に記載の網戸は、網戸枠にガイド溝を形成し、このガイド溝に保護板を嵌入させている。このため、既存の網戸枠に保護板を装着できず、この保護板用の網戸枠を形成する必要があり、コスト高となっていた。しかも、保護板の着脱時には保護板を横方向にスライドさせなければならない。このため、スライド用のスペースを必要として、着脱作業が行い難い場合があった。また、この場合、保護板は網状体の損傷を防止するものであるが、保護板と網状体との間に隙間があり、網状体が押された場合に、網状体が外れるおそれがある。
【０００５】
この発明は、上記従来の欠点を解決するためになされたものであって、その目的は、室内外から網状体が押された場合にも網状体の外れを防止でき、しかも清掃等の手入れが行いやすい網戸を提供することにあり、また、ドア本体に形成された小出入口を介してペットが出入りしても、この小出入口に付設される扉の損傷等を防止できるドアを提供することにある。
【課題を解決するための手段】
【０００６】
上記の課題を解決するために、この発明の網戸は、網戸枠１と、この網戸枠１に装着される網状体２とを備えた網戸において、上記網戸枠１の内側端面１６に取付けられる取付片部１７と、この取付片部１７から上記網状体２に沿うように突出する受片部１８とからなる断面Ｌ字状体の保持部材１５を備え、上記網状体２に対して外力が作用した際にその外力による網状体２の外れを規制する外れ防止板１０を、網状体２を覆うように上記保持部材１５の受片部１８に取付けたことを特徴としている。
【０００７】
そして、網戸枠１は、矩形状の外枠体６と、外枠体６の一対の縦枠３、３を連結する中桟７とを備え、この中桟７よりも下方に上記外れ防止板１０を配置した。
【０００８】
また、外れ防止板１０を透明板にて構成し、この透明板にて網状体２を覆ったり、外れ防止板１０を多数の孔部１９を有する平板体にて構成し、この平板体にて網状体２を覆ったりする。
【０００９】
この発明の他の網戸は、網戸枠１と、この網戸枠１に装着される網状体２とを備えた網戸において、上記網状体２に対して外力が作用した際にその外力による網状体２の外れを規制する外れ防止用格子体２２を、上記網戸枠１に嵌め込んで、この格子体２２の外枠２３を網戸枠１に着脱可能に取付けたことを特徴としている。
【００１０】
そして、この格子体２２を、中桟７よりも下方に上記外れ防止板１０を配置した。
【００１１】
この発明のドアは、ドア本体３１に小出入口３２が形成されたドアであって、上記小出入口３２に揺動可能として枢着される扉３３に、上記のいずれかの網戸構造を用いることを特徴としている。
【発明の効果】
【００１２】
この発明の網戸においては、網状体に対して外力が作用した際に、その外力による網状体の外れを外れ防止板にて規制することができる。このため、幼児やペット等が室内外からこの網戸を押したとしても、網状体が網戸枠から外れたり、破れたりするのを回避することができる。従って、長期にわたって網状体の張り替え作業等を行わずに済む。また、断面Ｌ字状体の保持部材を使用することにより、外れ防止板の取付け作業を短時間にかつ確実に行うことができ、しかも、この外れ防止板を既存の網戸に取付けることができて、コストの低減を図ることができる。さらに、保持部材の受片部にて外れ防止板の外周縁部を受けることになるので、外れ防止機能に優れる。また、外れ防止板は保持部材を介して取付けられるので、その取外しが可能である。そのため、たとえ網状体が破れたりして損傷しても、外れ防止板を取外すことによって、網状体の取り替え作業を外れ防止板に影響受けることなく、短時間に容易に行うことができる。しかも、外れ防止板の取外しが可能であるので、この網戸の清掃が行い易いと共に、外れ防止板が損傷した等の際には他の外れ防止板との交換も可能である。
【００１３】
また、網戸枠が、矩形状の外枠体と、この外枠体の一対の縦枠を連結する中桟とを備えたものであり、この中桟よりも下方に外れ防止板が配置されるものであれば、十分に外力作用による網状体の外れを防止できる。すなわち、幼児等が押すことによって作用する外力は、多くは網戸の下部であり、中桟よりも下方に外れ防止板を配置すれば、この外力による網状体の外れを防止できるからである。このため、外れ防止に必要としない部位に外れ防止板を配設しなくてもよく、取付作業時間の短縮を図ることができると共に、コスト低減に寄与する。
【００１４】
そして、外れ防止板を透明板にて構成すれば、この外れ防止板によって、視界が狭くなったり、室内を暗くしたりすることがなく、通常の網戸として使用することができる。また、外れ防止板を多数の孔部を有する平板体であっても、室内に明かりを十分に取り入れることができると共に、通気性を有し、しかも、外部から室内を遮蔽する遮蔽板としても機能する。
【００１５】
この発明の他の網戸においては、網状体に対して外力が作用した際にその外力による網状体の外れを外れ防止用格子体にて規制するので、幼児やペット等が室内外からこの網戸を押したとしても、網状体が網戸枠から外れたり、破れたりするのを回避することができる。しかも、この格子体を網戸枠に嵌め込んで、取付けることができるので、格子体の取付け作業を短時間にかつ確実に行うことができる。また、格子体を既存の網戸の網戸枠に嵌合させることができ、コストの低減を図ることができる。そして、この格子体の外枠を網戸枠に着脱可能に取付けるので、この網戸の清掃が行い易くなると共に、格子体が損傷した際には他の格子体との交換も可能である。
【００１６】
この発明のドアにおいては、ドア本体に小出入口が形成されたドアである。このため、小出入口を介してペット（例えば、猫や犬等）が出入りする。この際、ペットは小出入口に付設されている扉を押すことによって出入りする。そして、この扉は、網状体の外れ防止板や外れ防止用格子体を備えているので、ペットの出入りの際に作用する外力によって、網状体が外れにくいものとなる。従って、ペットが頻繁に出入りしても、扉としての機能を長期にわたって有効に発揮する。
【発明を実施するための最良の形態】
【００１７】
次に、この発明の網戸の具体的な実施の形態について、図面を参照しつつ詳細に説明する。図１は網戸の簡略斜視図であり、図２は断面図である。この網戸は、アルミニウム等の金属からなる網戸枠１と、この網戸枠１に装着される網状体２とを備える。網戸枠１は、一対の縦枠３、３と縦枠３、３の上端を連結する上枠４と縦枠３、３の下端を連結する下枠５とをからなる矩形状の外枠体６と、外枠体６の縦枠３、３の中間部を連結する中桟７とを備える。なお、網状体２としては、従来からこの種の網戸に使用されている金網等を用いる。
【００１８】
そして、外枠体６の室内側内面には室内側に開口した凹溝８が形成され、この凹溝８に嵌合する紐状の弾性体９にて網状体２の外周縁部２ａを押えることによって、網状体２を網戸枠１に張付けている。すなわち、網状体２の外周縁部２ａが凹溝８に対応するように、網状体２を外枠体６の室内側内面に重ね合わせ、この状態で室内側から網状体２の外周縁部２ａを介して弾性体９を凹溝８に嵌合させる。これによって、網状体２に対して外側方への張力を付与した状態で、この網状体２を網戸枠１に張り合わせることができる。また、中桟７に上下一対の凹溝８、８を設け、中桟７の上方の凹溝８と、縦枠３、３の中桟７よりも上部１３の凹溝８と、上枠４の凹溝８とで、上側の矩形溝部（図示省略）を形成すると共に、中桟７の下方の凹溝８と、縦枠３、３の中桟７よりも下部１１の凹溝８と、下枠５の凹溝８とで、下側の矩形溝部（図示省略）を形成する。そして、網状体２を、上網状体と下網状体とに分離、上網状体を上側の矩形溝部を使用して張り合わせると共に、下網状体を下側の矩形溝部を使用して張り合わせるようにしてもよい。
【００１９】
そして、中桟７よりも下方において外れ防止板１０が付設されている。すなわち、中桟７と、縦枠３、３の中桟７よりも下部１１、１１と、下枠５とで下部枠体１２を構成し、保持部材１５（図３参照）を介してこの下部枠体１２に外れ防止板１０が取付けられる。なお、この実施の形態においては、中桟７と、縦枠３、３の中桟７よりも上部１３、１３と、上枠４とで上部枠体１４が構成されるが、この上部枠体１４には外れ防止板１０を装着しない。
【００２０】
保持部材１５は全体矩形枠形状とされ、図３に示すように、網戸枠１の内側端面１６に取付けられる取付片部１７と、この取付片部１７から網状体２に沿うように突出する受片部１８とからなる断面Ｌ字状体にて構成している。すなわち、取付片部１７が内側端面１６に重ね合わされて固定具２０にて固定される。そして、室内側において、網状体２と平行に配設されるように下部枠体１２の内側に受片部１８が突出する。ここで、固定具２０として、ボルト部材やリベット等にて構成することができる。リベットを使用すれば、保持部材１５を取外すことが困難であるが、ボルト部材を使用すれば、保持部材１５の簡単に取外すことができ、保持部材１５の着脱が可能となる。
【００２１】
そして、図２に示すように、外れ防止板１０を室外側から下部枠体１２に嵌め込み、この保持部材１５の受片部１８に外れ防止板１０の外周縁部１０ａを当接させ、この状態で、外れ防止板１０の外周縁部１０ａと受片部１８とを固定具（図示省略）を介して固定する。なお、この固定具としても、ボルト部材やリベット等にて構成することができるが、ボルト部材を使用すれば、外れ防止板１０の着脱が可能となる。
【００２２】
また、外れ防止板１０はポリカーボネート板やアクリル樹脂板等の透明板、さらには、ポリカーボネートやアクリル樹脂等にいわゆるかすみをかけたようなかすみ板等にて構成することができる。そして、外れ防止板１０の厚さ寸法としては、保持部材１５の受片部１８の厚さ寸法（肉厚）等によるが、網戸枠１に取付けた際に外れ防止板１０が網戸の厚さ方向に網戸枠１から突出しないようにするのが好ましい。そのため、例えば、受片部１８の肉厚を２ｍｍ〜３ｍｍとした場合に、外れ防止板１０の厚さ寸法を５ｍｍ程度とする。
【００２３】
また、外れ防止板１０としては、図４に示すように、多数の孔部（パンチ孔）１９・・が形成されたものであってもよい。この場合、種々の色が着色された合成樹脂板（平板体）を使用することができ、孔部１９の大きさ、数、形状、及び配置ピッチ等は任意に設定できる。すなわち、着色される色等によって相違するが、孔部１９の数等が少ないと遮蔽性に優れるが通気性に劣り、逆に孔部１９の数等が多ければ通気性に優れるが遮蔽性に劣る。このため、孔部１９の大きさや数等はユーザの希望等によって選択することができる。
【００２４】
上記網戸によれば、外れ防止板１０が網状体２に沿ってほとんど隙間のない状態で略平行に配置される。このため、網状体２の外れ防止板１０が対面する部位において、網状体２を室内側から幼児等が押することによってこの網戸に室内側から室外側への外力が作用しても、外れ防止板１０にて網状体２を受けることができる。また、逆に室外側から外れ防止板１０が押された場合、網状体２にその押圧力が作用しない。すなわち、網状体２に対して外力が作用した際に、その外力による網状体２の外れを外れ防止板１０にて規制することができる。このため、幼児やペット等が室内外からこの網戸を押したとしても、網状体２が網戸枠１から外れたり、破れたりするのを回避することができる。従って、長期にわたって網状体２の張り替え作業を行わずに済む。
【００２５】
また、断面Ｌ字状体の保持部材１５を使用すれば、外れ防止板１０の取付け作業を短時間にかつ確実に行うことができる。しかも、この外れ防止板１０を既存の網戸に取付けることができるので、コストの低減を図ることができる。さらに、保持部材１５の受片部１８に外れ防止板１０の外周縁部１０ａを受けるので、外れ防止機能に優れる。また、外れ防止板１０は保持部材１５を介して取付けられるので、その取外しが可能である。そのため、たとえ網状体２が破れたりして損傷しても、外れ防止板１０を取外すことによって、網状体２の取り替え作業を外れ防止板１０に影響受けることなく、短時間に容易に行うことができる。しかも、外れ防止板１０を取外すことができるので、この網戸の清掃が行い易いと共に、外れ防止板１０が損傷した等の際には他の外れ防止板１０との交換も可能である。
【００２６】
さらに、網戸枠１が、矩形状の外枠体６と、この外枠体６の一対の縦枠３、３を連結する中桟７とを備えたものであり、この中桟７よりも下方側においてのみ外れ防止板１０が配置されるものであっても、十分に外力作用による網状体２の外れを防止できる。すなわち、幼児等が押すことによって作用する外力は、多くは網戸の下部であり、中桟７よりも下方に外れ防止板１０を配置すれば、この外力による網状体２の外れを防止できるからである。このため、外れ防止に必要としない部位に外れ防止板１０を配設しなくてもよく、取付作業時間の短縮を図ることができると共に、コスト低減に寄与する。
【００２７】
外れ防止板１０を透明板にて構成すれば、この外れ防止板１０によって、視界が狭くなったり、室内を暗くしたりすることがなく、通常の網戸として使用することができる。また、かすみ板を使用すれば外部から室内を遮蔽する遮蔽板としても機能することができる。そして、外れ防止板１０を多数の孔部１９・・を有する平板体によって構成すれば、室内に明かりを十分に取り入れることができると共に、通気性を有し、しかも、遮蔽性に優れる。
【００２８】
次に図５は他の実施の形態を示し、この場合、外れ防止用格子体２２を使用している。格子体２２としては、全体矩形状の外枠２３と、この外枠２３内に配設される縦桟２４・・と、横桟２５・・とからなる。なお、外枠２３は、一対の縦枠２６、２６と、一対の縦枠２６、２６の上端部を連結する上枠２７と、一対の縦枠２６、２６の下端部を連結する下枠２８とからなる。また、格子体２２としては、網戸枠１に対応してアルミニウム等の金属にて構成することができる。
【００２９】
この際、格子体２２の外枠２３の外寸を、格子体２２が下部枠体１２に嵌合可能なように、下部枠体１２の内寸より僅かに小さく設定する。そして、網状体２が張り付けられた室内側と反対である室外側から格子体２２を下部枠体１２に嵌合させると共に、固定具３０・・を介してこの格子体２２を下部枠体１２に固定する。すなわち、格子体２２の外枠２３の各縦枠２６、２６、上枠２７、下枠２８を、それぞれ対応する縦枠３、３の下部１１、１１、中桟７、下枠５に固定具３０としてのボルト部材を用いて固定する。この際、各固定具３０を格子体２２の外枠２３の内側から螺着することになる。
【００３０】
この図５に示す網戸であっても、網状体２に対して外力が作用した際にその外力による網状体２の外れを外れ防止用格子体２２にて規制するので、幼児やペット等が室内外からこの網戸を押したとしても、網状体２が網戸枠１から外れたり、破れたりするのを回避することができる。しかも、この格子体２２を網戸枠１に嵌め込んで、取付けることができるので、格子体２２の取付け作業を短時間にかつ確実に行うことができる。また、格子体２２を既存の網戸の網戸枠に嵌合させることができ、コストの低減を図ることができる。そして、格子体２２の外枠２３を網戸枠１に着脱可能に取付けたので、この網戸の清掃が行い易くなると共に、格子体２２が損傷した際には他の格子体２２との交換も可能である。
【００３１】
さらに、この中桟７よりも下方側においてのみ格子体２２が配置されるので、外れ防止に必要としない部位に格子体２２を配設しなくてもよく、取付作業時間の短縮を図ることができると共に、コスト低減に寄与する。
【００３２】
外れ防止用格子体２２として、全体矩形状の外枠２３を省略して、縦桟２４・・と横桟２５・・からなる組子２９のみをもって構成してもよい。この場合、図６に示すように、取付用金具３５を使用する。取付用金具３５は、平板状の支持壁部３６と、この支持板部３６に連結される湾曲壁部３７とからなり、組子２９の外周縁の全周に渡って配設される。すなわち、取付用金具３５は、一対の縦辺部と、縦辺部の上端を連結する上辺部と、縦辺部の下端を連結する下辺部とを有する矩形枠体からなる。また、湾曲壁部３７は断面半円又は半長円形とされ、その開口部３８が網状体２側に開口している。
【００３３】
この場合、取付用金具３５の湾曲壁部３７を網戸枠１の凹溝８に嵌合させ、この嵌合させた状態の湾曲壁部３７に、紐状の弾性体９を嵌合させて網状体２の外周縁部２ａを押えることになる。これによって、組子２９のみの外れ防止用格子体２２及び網状体２を網戸枠１に取付けることができる。
【００３４】
図６に示すように、組子２９のみの外れ防止用格子体２２を使用すれば、外枠２３を省略することができ、しかもボルト部材等の固定具を使用した固定を必要としない。このため、取付け作業の簡素化及びコスト低減化を図ることができる。
【００３５】
次に図７はこの発明にかかるドアを示し、このドアは、ドア本体３１に小出入口３２が形成されたものであり、またこの小出入口３２には扉３３が装着されている。すなわち、扉３３は、その上端縁部が小出入口３２の上端縁部に図示省略のヒンジ手段を介して枢着されている。このため、例えば、猫等のペットが扉３３を押すことによって、扉３３が上端縁部を中心に揺動して、小出入口３２が開状態となって、ペットが出入りすることができる。この際、扉３３が室内側から室外側へ押されれば、室外側へ揺動し、扉３３が室外側から室内側へ押されれば、室内側へ揺動する。このため、ペットは、室内から室外へ出ることができ、逆に、室外から室内へ入ることができる。
【００３６】
そして、この扉３３に上記図１等に示す網戸構造を使用する。すなわち、扉３３として、網戸枠１と、この網戸枠１に装着される網状体２とを備え、網戸枠１に保持部材１５を介して外れ防止板１０を取付けたもの（図１に示す構造のもの）や網戸枠１に外れ防止用格子体２２を嵌め込んだもの（図５に示す構造のものや図６に示す構造のもの）等で構成することができる。この際、中桟７を省略して網戸枠１の外枠体６全体に外れ防止板１０等を配設したものとするのが好ましいが、中桟７を設け、この中桟７よりも下方側や上方側に外れ防止板１０等を配置するようにしてもよい。
【００３７】
また、外れ防止板１０としても、ポリカーボネート板やアクリル樹脂板等の透明板、さらには、ポリカーボネートやアクリル樹脂にいわゆるかすみをかけたようなかすみ板等にて構成することができ、また、多数の孔部１９が形成されたものであってもよい。
【００３８】
このように構成されたドアによれば、網状体２の外れ防止板１０を備えているので、ペットの出入りの際に作用する外力によって、網状体２が外れにくいものとなる。このため、ペットが頻繁に出入りしても、扉としての機能を有効に発揮する。
【００３９】
以上にこの発明の具体的な実施の形態について説明したが、この発明は上記形態に限定されるものではなく、この発明の範囲内で種々変更して実施することができる。例えば、図１に示す網戸であっても、図５に示す網戸であっても、上部枠体１４に外れ防止板１０や外れ防止用格子体２２を装着してもよく、中桟７を有ないものであってもよい。外れ防止板１０として有色の平板体であってもよく、また合成樹脂製ではなく、アルミニウム等の金属製や木製であってもよい。さらに、外れ防止用格子体２２もアルミニウム等の金属製以外に、木製、合成樹脂製であってもよく、格子体２２の縦桟２４や横桟２５の配設ピッチ、太さ等も任意に設定できる。また、図１に示す網戸のように、断面Ｌ字状体の保持部材１５を使用する場合、下部枠体１２の全周にわたるものでなく、コーナー部等にのみこの保持部材１５を配置するようにしてもよい。さらに、外れ防止用格子体２２を外装体６に装着する場合においても、図１に示す網戸に使用した断面Ｌ字状の保持部材１５を使用してもよい。
【図面の簡単な説明】
【００４０】
【図１】この発明の網戸の実施の形態を示す簡略斜視図である。
【図２】上記網戸の要部断面図である。
【図３】上記網戸の要部拡大斜視図である。
【図４】外れ防止板の変形例を示す簡略斜視図である。
【図５】この発明の網戸の他の実施形態を示す正面図である。
【図６】この発明の網戸の別の実施形態を示す要部簡略断面図である。
【図７】この発明のドアの実施の形態を示す簡略斜視図である。
【符号の説明】
【００４１】
１・・網戸枠、２・・網状体、３・・縦枠、６・・外枠体、７・・中桟、１０・・外れ防止板、１５・・保持部材、１６・・内側端面、１７・・取付片部、１８・・受片部、１９・・孔部、２２・・外れ防止用格子体、２３・・外枠、３１・・ドア本体、３２・・小出入口、３３・・扉
【図１】
2007032095.tif 000003
【図２】
2007032095.tif 000004
【図３】
2007032095.tif 000005
【図４】
2007032095.tif 000006
【図５】
2007032095.tif 000007
【図６】
2007032095.tif 000008
【図７】
2007032095.tif 000009